(57)【要約】      （修正有）【課題】少なくとも手首まで覆う本体手袋と、軟質素材とを備えた、掻きむしり防止用手袋を提供する。【解決手段】第一手袋１０は、互いに独立した指部分１１を備え、それぞれに各指が挿通する。各指部分には、複数の貫通孔４３を備える軟質素材４０が配設され、各指部分はそれぞれの軟質素材４０によって覆われている。軟質素材４０は、指先の直径よりも指の付け根側の直径が小さい構造である。これによって、指が抜けにくい構造とする。各軟質素材４０は、第一手袋の指先と縫合されている。第二関節（親指は、第一関節）と指の付け根との間に対応する位置には、リング状の絞り具１２が配設される。これにより、かかる位置における指部分の径が絞られ、指の曲げ伸ばし時に指部分１１から指が抜けることを防止する。【選択図】図１
0003176655.tif 000002
【実用新案登録請求の範囲】
【請求項１】
少なくとも手首まで覆う本体手袋と、
軟質素材と、を備えた、掻きむしり防止用手袋。
【請求項２】
前記本体手袋は、両手に装着する一対の手袋である、請求項１に記載の掻きむしり防止用手袋。
【請求項３】
前記本体手袋を覆う一対の袋状手袋を更に備え、
前記一対の袋状手袋のうちの少なくとも1つは、前記本体手袋より小さい袋状手袋である、請求項２に記載の掻きむしり防止用手袋。
【請求項４】
前記袋状手袋は、
前記本体手袋の指部分と掌部分とを収容する袋部と、
前記袋部と連通して前記本体手袋の手首部分を覆う腕部と、を備え、
前記本体手袋より小さい袋状手袋は、前記袋部が拳サイズの袋状手袋である、請求項３に記載の掻きむしり防止用手袋。
【請求項５】
前記拳サイズの袋状手袋の袋部は、手首部分から指先方向の長さが前記本体手袋の手首部分から中指の付け根までの長さの1.0から1.4倍のサイズである、請求項４に記載の掻きむしり防止用手袋。
【請求項６】
前記袋状手袋は、前記本体手袋に対して着脱可能に構成されている、請求項３から５のいずれかに記載の掻きむしり防止用手袋。
【請求項７】
前記袋状手袋は、前記本体手袋と前期袋状手袋の抜脱を防ぐための拘束具を更に備え、
前記拘束具は、前記袋状手袋の外側であって手首と指の付け根に対応する位置の間に配設される、請求項３から６のいずれかに記載の掻きむしり防止用手袋。
【請求項８】
前記本体手袋は、滑り止め体を備え、
前記滑り止め体は、使用中の前記拘束具と間接的に当接することで前記本体手袋と前期袋状手袋の抜脱を防止する、請求項７に記載の掻きむしり防止用手袋。
【請求項９】
前記拘束具の操作時に前記袋状手袋が遊動することを防止する着脱可能な一対の留め具を更に備え、
前記留め具の一方は、前記本体手袋の外側に配設され、
前記留め具の他方は、前記袋状手袋の内側に配設される、請求項７又は８に記載の掻きむしり防止用手袋。
【請求項１０】
前記腕部の開口部に、締緩することで前記開口部の開閉が可能になる口紐を更に備え、
前記腕部は、前記開口部から指先方向に捲り上げることで前記袋部を覆うことが可能な長さを有し、
前記腕部は、前記袋部を覆うように捲り上げて、前記口紐を締めることによって前記袋部を包み込めるように構成されている、請求項７から９のいずれかに記載の掻きむしり防止用手袋。
【請求項１１】
前記軟質素材は、複数の貫通孔を備える、請求項１から１０のいずれかに記載の掻きむしり防止用手袋。
【請求項１２】
前記軟質素材は、前記本体手袋の指部分に配設される、請求項１から１１のいずれかに記載の掻きむしり防止用手袋。
【請求項１３】
前記本体手袋の指部分は、少なくとも、
親指が挿通する親指部分と、
人差指が挿通する人差指部分と、を備える、請求項１から１２のいずれかに記載の掻きむしり防止用手袋。
【請求項１４】
前記本体手袋は、前記指部分から指が抜脱することを防ぐための絞り具を更に備え、
前記絞り具は、親指部分については指の付け根から第一関節に対応する位置の間に、他の指部分については指の付け根から第二関節に対応する位置の間に配設される、請求項１２又は１３に記載の掻きむしり防止用手袋。
【請求項１５】
前記指部分は、互いに接合している、請求項１２から１４のいずれかに記載の掻きむしり防止用手袋。
【請求項１６】
前記本体手袋は、多層構造の手袋であり、
前記軟質素材は、最外層よりも内側に配設される、請求項１から１５のいずれかに記載の掻きむしり防止用手袋。
【請求項１７】
前記軟質素材は、アスカーC硬度が0から70度である、請求項１から１６のいずれかに記載の掻きむしり防止用手袋。
【考案の詳細な説明】
【技術分野】
【０００１】
本考案は、無意識時に痒みを伴う炎症部位を掻くことで皮膚を傷つけてしまうことを未然に防ぐ手袋に関する。
【背景技術】
【０００２】
痒みを伴う皮膚疾患を患っている患者は、睡眠時に無意識のうちに皮膚を掻きむしり、皮膚を傷つけてしまう。「痒いから掻く」という行為は人間の欲求の中でも最も強い欲求のひとつであり、特に睡眠中の無意識時においては様々な動作によりその欲求を満たそうとする。更に、無意識の場合は力のコントロールができず、その人の症状にもよるが、加わる力も大変強くなることが知られている。睡眠時の無意識の行為は本人の意思で止めることは困難であるため、古くは手錠や拘束服等を用いて掻く行為そのものを防止する方法が採用されていた。
【０００３】
しかしながら、身体拘束は身体を長時間固定することから無理な姿勢が強要され関節等に対する負担が大きい点や、手錠や拘束服等と皮膚が擦れることで皮膚を損傷する問題点があった。
【０００４】
身体拘束の代わりに掻きむしりを防止する手袋が知られている。かかる手袋としては、例えば、特許文献１には、外袋と内袋の滑り性が良い複数構造の手袋が開示されている。
【先行技術文献】
【特許文献】
【０００５】
【特許文献１】特開平９−５９８０９
【考案の概要】
【考案が解決しようとする課題】
【０００６】
しかしながら、特許文献１においては、手袋内の指は自由に動かすことが可能であるため、睡眠時の無意識下では指先を強く皮膚に押し当てて掻きむしり、皮膚を傷つけることがあった。そこで、本考案者は手袋内の指が自由に動かないように内袋を拳サイズとした手袋を作成した。
【０００７】
しかしながら、手袋内の指が自由に動けない場合であっても強く掻きむしることがあった。本考案者が原因を調べていくと、睡眠時の無意識下では指の関節を力強く皮膚に押し付けて擦ることで、皮膚を掻きむしることが明らかとなった。
【課題を解決するための手段】
【０００８】
そこで本考案者は、鋭意研究の結果、軟質素材を備える手袋を用いることで掻きむしりによる皮膚の損傷を防止できることを発見し本考案は完成した。即ち、本考案は、少なくとも手首まで覆う本体手袋と、軟質素材と、を備えた、掻きむしり防止用手袋が提供される。
【０００９】
この考案によれば、軟質素材を備えた手袋が提供される。かかる手袋を装着して皮膚に力を加えると、軟質素材が変形して接触面積が増えることで皮膚に加えられる荷重が分散される。これにより単位面積当たりの荷重を低下させることが可能となり、睡眠時の無意識下の力であっても、掻きむしりによる皮膚の損傷を防止することができた。
【００１０】
また、別の考案においては、前記本体手袋は、両手に装着する一対の手袋である、掻きむしり防止用手袋が提供される。
【００１１】
また、別の考案においては、前記本体手袋を覆う一対の袋状手袋を更に備え、前記一対の袋状手袋のうちの少なくとも1つは、前記本体手袋より小さい袋状手袋である、掻きむしり防止用手袋が提供される。
【００１２】
この構成によれば、本体手袋よりも小さい袋状手袋は、指を曲げた状態でなければ装着することができない。かかる袋状手袋を装着した手は、服などの衣類を掴むことが困難になる。これによって、服を擦りつけながら掻きむしる行為を防止することができる。
【００１３】
また、別の考案においては、前記袋状手袋は、前記本体手袋の指部分と掌部分とを収容する袋部と、前記袋部と連通して前記本体手袋の手首部分を覆う腕部と、を備え、前記本体手袋より小さい袋状手袋は、前記袋部が拳サイズの袋状手袋である、掻きむしり防止用手袋が提供される。
【００１４】
この構成によれば、本体手袋よりも小さい袋状手袋の袋部が拳サイズであることから、かかる袋状手袋を装着するには、手を拳の形にする必要がある。かかる袋状手袋を装着した手は、手袋内で指を開くことがより困難となる。これによって、より確実に服を擦りつけながら掻きむしる行為を防止することができる。
【００１５】
また、別の考案においては、前記拳サイズの袋状手袋の袋部は、手首部分から指先方向の長さが前記本体手袋の手首部分から中指の付け根までの長さの1.0から1.4倍のサイズである、掻きむしり防止用手袋が提供される。また、別の考案においては、前記袋状手袋は、前記本体手袋に対して着脱可能に構成されている、掻きむしり防止用手袋が提供される。
【００１６】
また、別の考案においては、前記袋状手袋は、前記本体手袋と前期袋状手袋の抜脱を防ぐための拘束具を更に備え、前記拘束具は、前記袋状手袋の外側であって手首と指の付け根に対応する位置の間に配設される、掻きむしり防止用手袋が提供される。
【００１７】
この構成によれば、袋状手袋を抜脱することを防ぐことができる。睡眠時では、痒みが解消されない場合、無意識のうちに手袋を抜脱しようとする。かかる拘束具を備えることで、袋状手袋の抜脱を防止できるため、皮膚を掻きむしる危険性をより低下させることができる。
【００１８】
また、別の考案においては、前記本体手袋は、滑り止め体を備え、前記滑り止め体は、使用中の前記拘束具と間接的に当接することで前記本体手袋と前期袋状手袋の抜脱を防止する、掻きむしり防止用手袋が提供される。
【００１９】
この構成によれば、本体手袋と袋状手袋の抜脱の際に使用中の拘束具が滑り止め体と間接的に当接する。これにより、本体手袋から袋状手袋の抜脱を防ぐことができる。また、袋状手袋の中での本体手袋の抜脱を防ぐことができる。
【００２０】
また、別の考案においては、前記拘束具の操作時に前記袋状手袋が遊動することを防止する着脱可能な一対の留め具を更に備え、前記留め具の一方は、前記本体手袋の外側に配設され、前記留め具の他方は、前記袋状手袋の内側に配設される、掻きむしり防止用手袋が提供される。
【００２１】
この構成によれば、拘束具の操作時に袋状手袋が遊動するのを防ぐことができる。袋状手袋は、袋状であることから本体手袋上で容易に遊動できる。特に、一人で袋状手袋を装着する患者は、片手で拘束具を操作する必要があるため、袋状手袋が本体手袋と着脱可能に結合して遊動を防止することで、片手でも拘束具を操作することが可能になる。
【００２２】
また、別の考案においては、前記腕部の開口部に、締緩することで前記開口部の開閉が可能になる口紐を更に備え、前記腕部は、前記開口部から指先方向に捲り上げることで前記袋部を覆うことが可能な長さを有し、前記腕部は、前記袋部を覆うように捲り上げて、前記口紐を締めることによって前記袋部を包み込めるように構成されている、掻きむしり防止用手袋が提供される。
【００２３】
この構成によれば、袋状手袋の袋部を腕部により包み込むことが可能になる。これにより、捲くり上げた腕部によって拘束具を覆い隠すことができるため、睡眠時の無意識下で拘束具を解除してしまうことを防ぐことができ、皮膚を掻きむしる危険性を更に低下させることができる。
【００２４】
また、別の考案においては、前記軟質素材は、複数の貫通孔を備える、掻きむしり防止用手袋が提供される。
【００２５】
この構成によれば、前記軟質素材は、貫通孔を複数備える。この貫通孔により手袋内が蒸れてしまうのを防ぐことができ、湿度が高い日の夜であっても快適性を損なうことはない。
【００２６】
また、別の考案においては、前記軟質素材は、前記本体手袋の指部分に配設される、掻きむしり防止用手袋が提供される。
【００２７】
この構成によれば、本体手袋の手の甲側と掌側は、軟質素材で覆われないため、手袋内の蒸れをより防ぐことが可能になる。
【００２８】
また、別の考案においては、前記本体手袋の指部分は、少なくとも、親指が挿通する親指部分と、人差指が挿通する人差指部分と、を備える、掻きむしり防止用手袋が提供される。
【００２９】
この構成によれば、独立した指部分に挿通した指は、他の指で直接掻くことができなくなる。指においても痒みは生じるため、独立した指部分に指を挿通することで手袋内での掻きむしりを防止することができる。
【００３０】
また、別の考案においては、前記本体手袋は、前記指部分から指が抜脱することを防ぐための絞り具を更に備え、前記絞り具は、親指部分については指の付け根から第一関節に対応する位置の間に、他の指部分については指の付け根から第二関節に対応する位置の間に配設される、掻きむしり防止用手袋が提供される。
【００３１】
この構成によれば、指部分を締め付けることができる。軟質素材が配設された指部分は肉厚であるため、絞り具を備えることで指の曲げ伸ばしの際に指が指部分から抜けることを防止できる。
【００３２】
また、別の考案においては、前記指部分は、互いに接合している、掻きむしり防止用手袋が提供される。
【００３３】
この構成によれば、少なくとも親指部分と人差指部分との間を開くことができないため、衣類を掴む動作や拘束具を外す動作を阻害することができる。
【００３４】
また、別の考案においては、前記本体手袋は、多層構造の手袋であり、前記軟質素材は、最外層よりも内側に配設される、掻きむしり防止用手袋が提供される。また、別の考案においては、前記軟質素材は、アスカーC硬度が0から70度である、掻きむしり防止用手袋が提供される。
【図面の簡単な説明】
【００３５】
【図１】図１ａは、本体手袋の第一手袋を図示している。図１ｂは、各指部分に軟質素材を配設し、手の甲及び手首部にそれぞれ滑り止め体を配設した第一手袋を手の甲側から図示している。図１ｃは、図１ｂに図示される手袋であって、絞り具を各指部分に配設した手袋である。
【図２】図２は、図１ｂ及び１ｃで示す第一手袋の指部分に配設した軟質素材の側面図を図示している。
【図３】図３は、各指部分が互いに接合している本体手袋の第二手袋を図示している。小指の付け根と手首との間に本体手袋側留め具が備わる。
【図４】図４ａは、袋部が通常サイズの袋状手袋を図示している。図４ｂは、袋部が拳サイズの袋状手袋を示している。図４ｃは、袋状手袋の透視図であり、小指の付け根と手首との間に袋状手袋側留め具が図示されている。
【図５】図５ａは、袋状手袋を図示している。図５ｂは、袋状手袋の腕部を捲くり上げて袋状手袋の袋部を包み込んだ状態を図示している。
【図６】図６ａは、幼児・小児用の第一手袋を図示している。図６ｂは、幼児・小児用の第一手袋に配設した軟質素材を手の甲側から図示し、図６ｃは、その側面図を図示している。図６ｄは、幼児・小児用の手袋に袋状手袋を装着した際の透視図である(第二手袋は図示せず)。
【考案を実施するための形態】
【００３６】
以下において、本考案の実施形態にかかる掻きむしり防止用手袋の全体像について説明する。特に断りがない限り、右手の手袋について説明するが、左手の手袋についても同様のことが言える。
【００３７】
「接合」という用語は、空間的に分離している対象物と対象物とを接触させて結合(例えば、縫合)すること、空間的に分離している対象物と対象物とを別の物体(材質は対象物と同一であってもよい)を介在させて間接的に接触させて結合すること、及びある対象物を、例えば縫合することで後発的に区画することの意味を含む。
【００３８】
「一対の手袋」という用語は、両手に装着するそれぞれの手袋を意味する。例えば、右手用手袋と左手用手袋を例示することができるが、これに限定はされず、左右兼用の手袋であってもよい。それぞれの手袋は、互いが非連結の手袋であってもよく、紐等で互いが連結している手袋であってもよい。
【００３９】
本明細書における関節の名称は、指先側の関節から数える。即ち、指先から指の付け根にかけて、「第一関節」、「第二関節」及び「第三関節」とする。「第三関節」と「指の付け根」は、互いに置換可能である。親指については、「第二関節」と「指の付け根」が互いに置換可能である。
【００４０】
＜第一手袋＞
図１は、本体手袋の第一手袋１０を示している。第一手袋１０は、互いに独立した指部分１１を備え、それぞれに各指が挿通する。各指部分には、図２に示される、複数の貫通孔４３を備える軟質素材４０が配設され、各指部分はそれぞれの軟質素材４０によって覆われている。軟質素材４０は、指先の直径よりも指の付け根側の直径が小さい構造である。これによって、指が抜けにくい構造としている。各軟質素材４０は、第一手袋の指先と縫合されている(図示せず)。第二関節(親指は、第一関節)と指の付け根との間に対応する位置には、リング状の絞り具１２が配設される。これにより、かかる位置における指部分の径が絞られ、指の曲げ伸ばし時に指部分１１から指が抜けることを防止する。
【００４１】
＜第二手袋＞
第一手袋１０に被せる第二手袋２０は、第一手袋の各指部分が挿通する、縫い目により区画された指部分２２を備える(図３)。これにより、第二手袋２０における全ての指部分は他の指部分と連動して可動するため、物を掴む等の複雑な指の運動を抑制する。第二手袋２０と第一手袋１０の開口部は、第二手袋２０に第一手袋１０を装着し、互いの開口部の縁を合わせた状態で縫合されている。
【００４２】
＜袋状手袋＞
図４には、第二手袋２０に被せる袋状手袋が図示されている。図４ａには、袋部３４のサイズが指を曲げた状態のサイズ、即ち拳の状態のサイズである、拳サイズの袋状手袋３０が図示されている。図４ｂには袋部３４のサイズが指を伸ばした状態のサイズである、通常サイズの袋状手袋３１が図示されている。袋状手袋の外側には、帯状の拘束具３２が備わり、かかる拘束具３２を用いて巻き締めることで袋状手袋の抜脱を防止する。かかる拘束具３２の一端は、袋状手袋を第二手袋２０へ装着した状態で、第二手袋の小指側に位置し且つ袋状手袋を装着した状態で手の甲側から掌側(又は、その逆も可能)へ巻き締めることが可能な位置において縫合される。拘束具３２を操作する時に、袋状手袋が遊動しない(例えば、袋状手袋が第二手袋上を滑りながら回転しない)ように、袋状手袋の内側と第二手袋の外側には対になって結合する留め具が備わる。袋状手袋には、拘束具３２の小指側縫合部に対応する位置に袋状手袋側留め具３３が配設される(図４ｃ)。第二手袋には、手首部分に本体手袋側留め具２１が配設される(図３)。本体手袋側留め具２１は、袋状手袋に備わる袋状手袋側留め具３３と着脱可能に結合する。第二手袋２０には、袋状手袋を指先方向に引抜く際に滑り止めの役割を担う滑り止め体が配設される。第二手袋の手の甲部分に備わる手の甲側滑り止め体４１は、袋状手袋を装着した状態における拘束具３２の位置よりも指先方向に配設される。これにより袋状手袋を指先方向へ引き抜いても使用中の拘束具３２が滑り止め体４１に引っかかり、第二手袋から袋状手袋が抜脱するのを防ぐことができる。第二手袋の腕部に備わる腕側滑り止め体４２は、袋状手袋を装着した状態における拘束具３２の位置よりも腕方向に配設される。これにより、指の曲げ伸ばし等により第二手袋が袋手袋内に引き込まれる際に、拘束具３２が滑り止め体４２に引っかかるため、袋状手袋内で第二手袋が抜脱することを防ぐことができる。
【００４３】
＜巾着袋様手袋＞
別の本実施形態において、腕部３５の開口部に口紐３６を備えた袋状手袋とすることができる(図５ａ)。かかる口紐３６を締緩することで、巾着袋のように開口部の開閉が可能になるよう構成されている。かかる袋状手袋は、腕部３５を捲くり上げることで腕部３５が袋部３４を覆うことができる。この状態で開口部の口紐３６を締めることによって袋部３４を包み込むことができる(図５ｂ)。拘束具３２は、手首と指の付け根に対応する位置の間にて袋状手袋を拘束することで、腕部３５を捲り上げる際の袋状手袋の抜脱も防いでいる。
【００４４】
以上は、本考案にかかる掻きむしり防止用手袋の一実施形態を示すものであって、この実施形態に限定されるものではない。
【００４５】
本実施形態においては、本体手袋は二層構造(第一手袋と第二手袋)であるが、これらに限定されない。即ち、本体手袋は、一層構造であってもよく、二層構造以上の多層構造であってもよい。
【００４６】
本体手袋及び袋状手袋は、特に限定しないが、肌への刺激が少ない生地を使用することが好ましい。例えば、綿や絹、麻等の天然繊維や、キュプラ等の化学繊維であってもよい。また、それら部分的な組合せであってもよい。例えば、肌に触れる場所は、キュプラを使用し、それ以外の場所は綿を使用する。肌に触れない場所の生地は、ポリエステル等の肌への刺激が強い素材であってもよい。
【００４７】
本体手袋は、五本指がそれぞれ独立した指部分に挿通する構造の手袋であってもよく、五本指が同じ指部分に入る構造の手袋であってもよい。親指だけが独立した指部分を有する手袋であってもよい。例えば、幼児及び小児は、独立した指部分に指を挿通させることが困難であることから、幼児及び小児用の手袋は、五本指が同じ指部分に入る構造の手袋、又は親指のみが独立した指部分を備える手袋(ミトン型手袋)であることが好ましい。更には、本体手袋は、任意の数だけ独立した指部分を備えても良い。例えば、本体手袋は、親指と人差指に対応する指部分だけを備え、残りの指は同じ指部分に挿通する構造の手袋であってもよい。独立した指部分は、他の指部分と非連動で遊動可能な指部分だけを意味するものではなく、隔壁(例：縫い目)によって他の指部分と区画された指部分も意味する。
【００４８】
軟質素材は、本体手袋のいずれの層に配設してもよい。例えば、軟質素材は、一層目の内側、即ち、皮膚と接するように配設してもよく、任意の層と層との間に配設してもよい。好ましくは、一層目と二層目の間に軟質素材が配設される。
【００４９】
軟質素材は、特に限定しないが、掻きむしりを防止できる柔軟性(硬度)がある弾性体であればよい。例えば、アスカーゴムC型硬度計[SRIS(日本ゴム協会規格)0101に準拠、高分子計器株式会社製]で測定することができる。アスカーC硬度は、決められた形の押針(最大高さH：2.54mm、押針の形状：直径5.08mmの球)をスプリングの力で軟質材料の表面に押し付けて変形を与え、軟質材料の抵抗力とスプリングの力がバランスした状態での押針の押込み深さhをもとに、硬度を測定するものである。押込み深さhが押針最大高さH(2.54mm、すなわち押針の変位が0)のときを0度、押込み深さhが0mmのときを100度として、この間を等間隔で目盛り、軟質材料の押込み深さhを読み取る。アスカーC硬度は、好ましくは0から70度、より好ましくは0から30度、最も好ましくは5から15度の間である。軟質素材の素材は、上記硬度条件を満たすものであれば特に限定しないが、シリコンゴムやウレタン等が挙げられる。
【００５０】
軟質素材には、複数の貫通孔を備える。かかる貫通孔の直径は、蒸れを防止できる程度の大きさであればよく、例えば、0.5、1、2、3、4、5、6、7、8、9、10、15mmの何れかから選択される2つの直径の間であってもよい。また、貫通孔のサイズは場所によって異なるサイズの貫通孔を配置してもよい。例えば、関節等の可動部における貫通孔は、手の甲等の非可動部における貫通孔よりも直径が小さくてもよい。貫通孔の配置は、規則性のある配置であってもよく、不規則の配置であってもよい。貫通孔は、貫通孔に対応する複数の凸部を備える型枠に硬化前の軟質素材を流し込むことで形成させてもよく、硬化後の軟質素材に貫通孔を形成させてもよい。
【００５１】
軟質素材の形状は、本体手袋に併せて様々な形状を採用することが可能である。例えば、五本指が同じ指部に入る構造の本体手袋の場合は、指先から手首まで軟質素材で覆ってもよい。好ましくは、軟質素材は、本体手袋の指先から指の付け根まで覆う。軟質素材は、本体手袋の指部の開口部よりも絞られた開口部を備えることも可能である。軟質素材の厚さは、特に限定しないが、例えば、1、2、3、4、5、6、7、8、9、10mmの何れかから選択される2つの厚さの間であってもよい。軟質素材の厚さは、例えば、関節に対応する部位は周囲より厚くする等、手袋の部位によって厚みを変えることも可能である。
【００５２】
本体手袋への軟質素材の結合方法は、特に限定しないが、縫合や接着剤等によって本体手袋と結合させることが可能である。好ましくは、肌への刺激が少ない縫合である。また、絞り具を用いて軟質素材を本体手袋へ固定させてもよい。例えば、軟質素材の蒸れ防止用の貫通孔又は専用の貫通孔に絞り具を通し、かかる絞り具と本体手袋とを結合させることで軟質素材を本体手袋へ固定できる。絞り具は、生地(例えば本体手袋等で使用した生地)を使用することができる。生地を絞り具とする場合は、本体手袋と絞り具とを縫合することができるため、容易に軟質素材の固定を行える点で有利である。
【００５３】
拘束具は、袋状手袋が脱げてしまうことを防ぐことができればどのようなものであってもよく、例えば、ベルトや面ファスナー(例：マジックテープ(登録商標))等を挙げることができる。好ましくは、一人でも容易に拘束を達成することが可能な、一方の面がループで他方の面がフックの面ファスナー、又はフック面とループ面の区別がない面ファスナーである。好ましい面ファスナーとしては、RIP-TIE社(米国)のエコノラップを一例として挙げることができる。
【００５４】
本体手袋側留め具と袋状手袋側留め具とは、互いが着脱可能な関係であれば特に限定しないが、ボタン、磁石及び面ファスナー等を例示することができ、好ましくは、着脱が容易で且つ洗濯が可能な面ファスナーである。
【００５５】
手の甲側滑り止め体及び腕側滑り止め体の素材は、特に限定しないが、伸縮性及び弾力性に優れるシリコンゴムやウレタン等が挙げられる。軟質素材と同じ素材であってもよい。また、軟質素材と同じように複数の貫通孔を備えても良く、厚さについても上述した軟質素材の厚さの範囲ないであってもよい。また、形状もブロックであったり、プレートであったりしてもよい。
【００５６】
本考案にかかる掻きむしり防止用手袋は、大人用の手袋に限定されるものではなく、乳児・幼児用も本実施形態の範囲内である。図６には、乳児・幼児用の掻きむしり防止用手袋が図示されている。図６ａは、５本指が全て１つの指部に収容される本体手袋である。乳児や幼児の場合は、手袋の指部に指を通すことが困難であるため、かかる構成の本体手袋が望ましい。五本指を収容する指部の場合は、親指の付け根まで覆う形状の軟質性素材を配設する(図６ａ及びｂ)。軟質素材は、本体手袋の指部の開口部よりも絞られた開口部を備えることも可能である(図６ｃ)。乳児や幼児の場合は、装着時に手を動かすことが多く袋状手袋を装着する前に本体手袋が脱げてしまうことがあるため、軟質素材の開口部を絞ることで本体手袋の脱げを防止している。図６ｄには、袋状手袋をかぶせた乳児・幼児用の掻きむしり防止手袋が図示されている。袋状手袋のサイズも乳児・幼児用のサイズとすることができる。
【００５７】
本考案にかかる掻きむしり防止用手袋は、利用者が本手袋を装着することで睡眠時に皮膚を損傷するような掻きむしりを防ぐことができる。拳サイズの袋状手袋を一人で装着する場合は、片方の手だけに装着してもよい。これによって、部屋やトイレのドアの開閉等の日常的な動作をもう片方の手で行なうことが可能になる。両方の手に拳サイズの袋状手袋を装着する場合は、介助者等の助けを借りて装着してもよい。拳サイズの袋状手袋を装着することで、衣類を掴むことができず、衣類を擦りつけての掻きむしりを防止できる。更に、袋状手袋の腕部で袋部を覆うことで拘束具を包み隠すことが可能となり、睡眠時における拘束具の解除を防止できる。
【符号の説明】
【００５８】
１０      第一手袋
１１      独立した指部分
１２      絞り具
２０      第二手袋
２１      本体手袋側留め具
２２      区画された指部分
３０      拳サイズの袋状手袋
３１      通常サイズの袋状手袋
３２      拘束具
３３      袋状手袋側留め具
３４      袋部
３５      腕部
３６      口紐
４０      軟質素材
４１      手の甲側滑り止め体
４２      腕側滑り止め体
４３      貫通孔
【図１】
0003176655.tif 000003
【図２】
0003176655.tif 000004
【図３】
0003176655.tif 000005
【図４】
0003176655.tif 000006
【図５】
0003176655.tif 000007
【図６】
0003176655.tif 000008